(57)【要約】  【課題】  季節ごとに変化するオープンショーケースの棚構成に追随して対応できる軽量の天井ミラーを提供することを目的とする。  【解決手段】  庫内に商品を陳列するオープンショーケースの天井ミラー２を、可動範囲のどの角度でも停止できるように、回動自在なフリーストップヒンジ１４を介して、天井板１０ａに取り付けるとともに、天井ミラー２の材質を、ミラー効果を有する軽量アルミ樹脂積層複合材またはアクリルミラー板とし、指で押したり引いたりする簡単な操作だけで天井ミラー２を動かし、自由な角度にセットできるようにした。【選択図】    図２
2007190160.tif 000002
【特許請求の範囲】
【請求項１】
庫内に商品を陳列するオープンショーケースの天井ミラーにおいて、前記天井ミラーは、可動範囲のどの角度でも停止可能に、回動自在なフリーストップヒンジを介して天井板に取り付けたことを特徴とするオープンショーケースの天井ミラー。
【請求項２】
前記天井ミラーの材質は、ミラー効果を有する軽量アルミ樹脂積層複合材であることを特徴とする請求項１記載のオープンショーケースの天井ミラー。
【請求項３】
前記天井ミラーの材質は、アクリルミラー板であることを特徴とする請求項１記載のオープンショーケースの天井ミラー。
【発明の詳細な説明】
【技術分野】
【０００１】
本発明は、庫内に商品を陳列するオープンショーケースの天井ミラーに関する。
【背景技術】
【０００２】
従来、オープンショーケースの天井ミラーは、天井部から陳列棚最上段の奥上部に亘って、略４５°の角度で固定されていた（特許文献１参照）。
【特許文献１】特開２００１−２７４７０
【発明の開示】
【発明が解決しようとする課題】
【０００３】
ところで、小売店は、季節ごとに販売する商品が異なることなどから、オープンショーケースの棚構成が、年間を通して同じとは限らない。そのため、天井ミラーが必要な時期と、そうでない時期がある。
【０００４】
本発明は、上記の課題に鑑み創案されたもので、オープンショーケースの棚構成の違い、即ち商品の種類の変化及び陳列商品量の増減に対応できるよう、天井ミラーが指の操作で必要とされる位置から収納位置まで動かすことができるようにしたオープンショーケースの天井ミラーを提供することを目的とする。
【課題を解決するための手段】
【０００５】
上記の課題を解決するため、本発明においては、庫内に商品を陳列するオープンショーケースの天井ミラーにおいて、前記天井ミラーは、可動範囲のどの角度でも停止可能に、回動自在なフリーストップヒンジを介して天井板に取り付けたことを特徴とする。また、前記天井ミラーの材質は、ミラー効果を有する軽量アルミ樹脂積層複合材やアクリルミラー板等の軽量素材であることを特徴とする。
【発明の効果】
【０００６】
本発明のオープンショーケースの天井ミラーによれば、次のような効果を奏する。
（１）天井ミラーを可動にしたので、必要に応じて異なった角度で使用することができる。
（２）指で押したり引いたりする簡単な操作だけで天井ミラーを動かすことができるので、すこぶる操作性がよい。
（３）フリーストップヒンジを使用することで、天井ミラーを自由な位置（角度）にセットすることができる。
（４）天井ミラーの材質としてガラスミラーでなく、ミラー効果を有する軽量アルミ樹脂積層複合材やアクリルミラー板等の軽量素材を用いたので、天井ミラーの大幅な軽量化を図ることができる。
【発明を実施するための最良の形態】
【０００７】
以下、本発明を図面に示す一形態例に基づいて説明する。
図１はオープンショーケースの断面側面図、図２は天井ミラーの取付状況を示す要部断面側面図、図３はフリーストップヒンジの取付状況を示す要部斜視説明図である。
【０００８】
まず、図１に示すように、本発明の天井ミラー２が取り付けられたオープンショーケース１は、断面コ字状を呈し、支持台３に支持されるケース本体４の前面に商品取出し用の開口５を設けたものである。
【０００９】
前記支持台３とケース本体４との間及びケース本体４の背面には、冷却器６や送風ファン７を収納したダクト８が設けられており、ケース本体４の前面下部に設けた吸込口９から冷気を吸入し、冷却器６で所定温度に冷却して、天井部１０前端に設けた吹出口１１から前記吸込口９に向けて冷気のエアーカーテンを形成し、商品陳列部１２の陳列棚１２ａに載置した商品を保冷するようになっている。
【００１０】
そして、オープンショーケース１の天井部１０から陳列棚１２ａの最上段の奥上部に向かって、本発明の天井ミラー２が取り付けられている。この天井ミラー２は、図２及び図３に示すように、その前端側に取り付けたブラケット１３にフリーストップヒンジ１４を介して天井部１０の天井板１０ａに回動自在にネジ止めされている。
フリーストップヒンジ１４には回動する可動部１４ａと固定される固定部１４ｂがあり、可動部１４ａはブラケット１３にネジ１６で固定されて天井ミラー２と繋がり、固定部１４ｂはネジ１７で天井板１０ａに取り付けられる。なお、天井ミラー２とブラケット１３はネジ１５により締結されている。
【００１１】
このフリーストップヒンジ１４は、可動範囲のどの角度でも停止可能であり、天井ミラー２の後端下側を指で押し引き操作するだけで、容易に可動することができる。従って、天井ミラー２が必要な時期には天井部１０から陳列棚１２ａ最上段の奥上部に向って、略４５°の角度で使用し、天井ミラー２が必要でない時期には略０°の角度で天井部１０に沿わせて収納することができる。
また、オープンショーケースの棚構成の違い、即ち商品の種類の変化及び陳列商品量の増減に合わせて、天井ミラーを指で押し引きすることにより、天井ミラー角度を所望角度に設定することができる。これにより、最も販促効果が高いと思われる角度に、いつでも簡単に設定できる。
【００１２】
この天井ミラー２は、材質がガラスミラーだと重くなるため、ミラー効果を有する軽量アルミ樹脂積層複合材やアクリルミラー板等の軽量素材を用いるのがよい。ミラー効果を有する軽量アルミ樹脂積層複合材としては、例えば、プラスチック板の両側にアルミ樹脂層を形成し、更にその表面に電気メッキ層を施してミラー効果を高めたアルミ樹脂積層複合材が好ましい。このような素材であると、軽量かつ高剛性となり好適である。即ち、この素材によれば、（１）プラスチックとアルミの複合材であるために、ガラスに比べ割れにくいこと、（２）鏡面材料でありながら、切断、曲げ、打ち抜き等の加工が可能であること、（３）アルミと同程度の線膨張率で、すっきりした目地処理ができ、非帯電性に優れ、ホコリ等が付着しにくいこと、（４）表面は硬く、耐久性に優れていること、等の特徴を有し、ここで用いる天井ミラーの素材として好適である。
【００１３】
本形態例は、天井ミラーを冷蔵用のオープンショーケースに適用した例を示したが、冷蔵機能を持たない単なる商品の陳列ケースであっても同様に適用できる。また、冷蔵の場合でもエアカーテンを二重にしたもの等、他の冷蔵形態のショーケースに適用できることは勿論である。
【図面の簡単な説明】
【００１４】
【図１】オープンショーケースの断面側面図である。
【図２】本発明の天井ミラーの取付状況を示す要部断面側面図である。
【図３】フリーストップヒンジの取付状況を示す要部斜視説明図である。
【符号の説明】
【００１５】
１    オープンショーケース
２    天井ミラー
３    支持台
４    ケース本体
５    開口
６    冷却器
７    送風ファン
８    ダクト
９    吸込口
１０    天井部
１０ａ  天井板
１１    吹出口
１２    商品陳列部
１２ａ  陳列棚
１３    ブラケット
１４    フリーストップヒンジ
１４ａ  可動部
１４ｂ  固定部
１５    ネジ
１６    ネジ
１７    ネジ
【図１】
2007190160.tif 000003
【図２】
2007190160.tif 000004
【図３】
2007190160.tif 000005